(57)【特許請求の範囲】
【請求項１】
自動車のラゲージルームをカバーするトノカバー本体の一端側を、両端に端末カバーが嵌合されたトノカバーケース内に巻取り可能に装着して、前記トノカバー本体の他端側を引出し可能としており、前記端末カバーを車体側に設けたトノカバーホルダーに掛合することにより、前記トノカバー本体を前記車体に脱着可能に設置するようにした自動車用トノカバー装置であって、
前記端末カバーの車体前後方向両側壁に、それぞれ係合突起を形成すると共に、前記トノカバーホルダーにおけるそれぞれ嵌合孔が形成された車体前後方向両側壁を、車体内方に向かって拡開するように形成し、
前記両嵌合孔に、前記トノカバーホルダーの外周壁を囲繞するように挿入された板スプリングに形成した一対のスプリング係合片をそれぞれ嵌合することによって、前記トノカバーホルダーの内部に突出させて、前記スプリング係合片を前記トノカバーケースの軸線上に平行に延在させており、
前記両スプリング係合片の下端部に前記端末カバーに形成した係合突起を係合させることによって、前記トノカバー本体を前記車体に設置するように構成したことを特徴とする自動車用トノカバー装置。
【発明の詳細な説明】
【０００１】
【発明の属する技術分野】
本発明は、前方が自動車の車室とシートバックによって仕切られたラゲージルームをカバーする自動車のトノカバー装置に関する。
【０００２】
【従来の技術】
従来のこの種の装置として、図６及び図７に示されたものが知られている。
【０００３】
図６及び図７によれば、自動車のラゲージルームをカバーするトノカバー(不図示)の一端側を巻取り収容するトノカバーケースａを有し、トノカバーケースａの両端には、端末カバーｂが嵌合されており、トノカバーの他端側は、不図示のボードを内蔵した引き出し端となって、端末カバーｂを車体側に設けたトノカバーホルダーｃに掛合することにより、トノカバーを車体に脱着可能に設置するように構成している。
【０００４】
そして、端末カバーｂとトノカバーホルダーｃとの係合構造は、先ず、端末カバーｂに略コ字形の板状のスプリングｄを、端末カバーｂの下壁から両側壁に掛けて連続して形成した略コ字形の溝ｅ内に嵌合し、スプリングｄの一部を折曲して、一対の係合突起部ｆを形成してあり、一方トノカバーホルダーｃの両側壁にその内方に突出するように車体左右方向に延在する一対の凸状部ｇを形成しておき、両凸状部ｇの下方向からに両係合突起部ｆを係合させることによって、巻取り収納ケースａを車体に掛合するというものである。
【０００５】
【発明が解決しようとする課題】
上記のように構成する従来装置にあっては、トノカバーホルダーｃは、通常インジェクション成形等で作製する。合成樹脂製部品である。そして、トノカバーホルダーｃの作製に当って、凸状部ｇを一体形成することになるために、トノカバーホルダーｃの両側壁部は、型抜き角度を必要として、図８に示すように、ハ字状に形成されてしまう。この場合には、図８に示すように、当然ながら、凸状部ｇも先端が拡開するハの字形に成形されてしまう。
【０００６】
また、トノカバーケースａの長さや車体の幅方向寸法のばらつきも当然ながら生じることになる。
【０００７】
この結果、トノカバーケースａの長さが短かったり、車体の幅方向寸法が長かったりした場合には、図８に示すように、端末カバーｂが２点鎖線視のようにトノカバーホルダーｃに嵌合する嵌合量が少なくなってしまい、この場合、凸状部ｇと係合突起部ｆとが係合しなくなってしまい、トノカバーケースａは、車体に掛合されないことになってしまう。
【０００８】
本発明は、かかる点に鑑み、トノカバーケース或いは車体側の製作誤差等が生じても、確実にトノカバーケースがトノカバーホルダーを介して車体に掛合されるように意図した自動車のトノカバー装置を提供することを目的としている。
【０００９】
【課題を解決するための手段】
上記目的を達成するために、本発明は、自動車のラゲージルームをカバーするトノカバー本体の一端側を、両端に端末カバーが嵌合されたトノカバーケース内に巻取り可能に装着して、トノカバー本体の他端側を引出し可能としており、端末カバーを車体側に設けたトノカバーホルダーに掛合することにより、トノカバー本体を車体に脱着可能に設置するようにしてあり、端末カバーの車体前後方向両側壁に、それぞれ係合突起を形成すると共に、トノカバーホルダーにおけるそれぞれ嵌合孔が形成された車体前後方向両側壁を、車体内方に向かって拡開するように形成し、両嵌合孔に、トノカバーホルダーの外周壁を囲繞するように挿入された板スプリングに形成した一対のスプリング係合片をそれぞれ嵌合することによって、トノカバーホルダーの内部に突出させて、スプリング係合片をトノカバーケースの軸線上に平行に延在させており、両スプリング係合片の下端部に前記端末カバーに形成した係合突起を係合させることによって、トノカバー本体を前記車体に設置するように構成した。
【００１０】
本発明によれば、一対のスプリング係合片の下端部に端末カバーに設けた一対の係合突起をそれぞれ係合させることによって、トノカバー本体を車体に設置するしたことから、両スプリング係合片がトノカバーホルダーの軸線方向に平行になるように延在させておき、しかも、係合突起の頂上を両スプリング係合片の内方に位置するように形成することができ、この結果、トノカバーホルダーの長さ寸法がずれたり、また車体の幅方向寸法にばらつきがたとえ生じたとしても、トノカバーホルダーに端末カバーを嵌合するだけで、常にスプリング係合片に係合突起を係合させることができ、トノカバーケースがトノカバーホルダーを介して車体に確実に掛合されていることになる。
【００１１】
【発明の実施の形態】
次に、図１乃至４を用いて、本発明における実施の形態による自動車用トノカバー装置を説明する。
【００１２】
図１は本発明の実施の形態による自動車用トノカバー装置を採用した自動車後部車室の一部を描画した斜視図、図２は本発明の実施形態である自動車用トノカバー装置のトノカバーケースの一部を描画した斜視図、図３は同じくトノカバーケースの端末カバーをトノカバーホルダーに嵌合使用とする寸前の状態を示す要部斜視図、図４は同じくトノカバーホルダーと端末カバーの嵌合状態を示す縦断面図である。
【００１３】
図において、前方が自動車の車室１とシートバック２によって仕切ることによって、ラゲージルーム３を区画形成しており、ラゲージルーム３はトノカバー装置１０によって、シートバック２の上端付近における上部がカバーされるようになっている。
【００１４】
トノカバー装置１０は、トノカバー本体１１の一端側を角パイプ状のトノカバーケース１２内に巻取り可能に装着し、トノカバー本体１１の他端に設けた引出し端１１ａを引っ張ることによって、トノカバー本体１１をトノカバーケース１２より引出し可能に構成している。
【００１５】
トノカバーケース１２の両端は、略升型を呈する端末カバー１３が嵌合して美装されている。
【００１６】
端末カバー１３の車体前後方向の両側壁外周には、係合突起１３ａが形成されており、係合突起１３ａは、トノカバーケース１２との嵌合部側先端がやや暫時低くなるように傾斜している。
【００１７】
そして、端末カバー１３は、インジェクション成形等により形成した合成樹脂製であり、係合突起１３ａの頂部がパーティラインとなるような金型を使用して成形されており、車体内方側面が開口して、トノカバーケース１２に嵌合可能となっている。
【００１８】
また、ラゲージルーム３におけるシートバック２の両側部付近には、トノカバーホルダー１４がそれぞれ設置されている。
【００１９】
トノカバーホルダー１４は、車体内方及び上方が開口する略箱状を呈して構成しており、その車体前後方向の両側壁１４ａ，１４ａが車体内方に向かって拡開して形成されると共に、両側壁１４ａ，１４ａには、それぞれ嵌合穴１４ｂ，１４ｂが形成されており、嵌合穴１４ｂ，１４ｂには、略コ字状に形成された板スプリング１５の両脚部１５ａ，１５ｂに形成したスプリング係合片１６，１６が嵌合している。
【００２０】
そして、板スプリング１５は、例えばバネ鋼板などによって製作されており、その脚部１５ａ，１５ｂをトノカバーホルダー１４の底壁１４ｃ側から、トノカバーホルダー１４の底壁１４ｃ及び両側壁１４ａ，１４ａの外周壁を囲繞するように挿入されて脚部１５ａ，１５ｂに形成したスプリング係合片１６，１６を嵌合穴１４ｂ，１４ｂに嵌合している。
【００２１】
スプリング係合片１６，１６は、略くの字状を呈しており、その頂部１６ａ，１６ａがトノカバーホルダー１４の内方に突出している。
【００２２】
そして、図１に示すように、ラゲージルーム３の床面に載置されていたトノカバー本体１１をトノカバーケース１２と共に持ち上げて、図３に示す状態から、端末カバー１３をトノカバーホルダー１４に嵌合すると、図４に示すように、スプリング係合片１６，１６の下部に、係合突起１３ａが係合して、トノカバーケース１２を介してトノカバー本体１１がラゲージルーム３に掛合されることになる。
【００２３】
そして、ラゲージルーム２にトノカバー本体が係合した状態において、スプリング係合片１６，１６は、トノカバーケース１２の軸線上に平行に延在するように、板スプリング１５に形成されている。また、係合突起１３ａ，１３ａの頂上はスプリング係合片１６，１６の内方に位置するように形成されている。
【００２４】
上記のように構成する本発明の実施の形態においては、スプリング係合片１６，１６の下端部に端末カバー１３に設けた係合突起１３ａ，１３ａをそれぞれ係合させることによって、トノカバー本体１１をトノカバーホルダー１４を介してラゲージルームの側壁（車体）に設置することになるが、スプリング係合片１６，１６がトノカバーホルダー１４の軸線方向に平行になるように延在させることができ、しかも、係合突起１３ａ，１３ａの頂上をスプリング係合片１６，１６の内方に位置するように形成することができ、この結果トノカバーホルダー１４の長さ寸法がずれたり、またラゲージルームの側壁間の幅方向寸法のばらつきがたとえ生じたとしても、トノカバーホルダー１４に端末カバー１３が嵌合するだけで、常にスプリング係合片１６，１６に係合突起１３ａ，１３ａを係合させることができ、トノカバーケース１２がトノカバーホルダー１４を介して車体に確実に掛合されていることになる。
【００２５】
【発明の効果】
本発明によれば、一対のスプリング係合片の下端部に端末カバーに設けた一対の係合突起をそれぞれ係合させることによって、トノカバー本体を車体に設置するしたことから、両スプリング係合片がトノカバーホルダーの軸線方向に平行になるように延在させておき、しかも、係合突起の頂上を両スプリング係合片の内方に位置するように形成することができ、この結果、トノカバーホルダーの長さ寸法がずれたり、また車体の幅方向寸法にばらつきがたとえ生じたとしても、トノカバーホルダーに端末カバーを嵌合するだけで、常にスプリング係合片に係合突起を係合させることができ、トノカバーケースがトノカバーホルダーを介して車体に確実に掛合されていることになる。
【図面の簡単な説明】
【図１】本発明の実施の形態による自動車用トノカバー装置を採用した自動車後部車室の一部を描画した斜視図である。
【図２】本発明の実施形態である自動車用トノカバー装置のトノカバーケースの一部を描画した斜視図である。同じくトノカバーケースの端末カバーをトノカバーホルダーに嵌合使用とする寸前の状態を示す要部斜視図である。
【図３】同じくトノカバーケースの端末カバーをトノカバーホルダーに嵌合使用とする寸前の状態を示す要部斜視図である。
【図４】同じくトノカバーホルダーと端末カバーの嵌合状態を示す縦断面図である。
【図５】図４のＡ方向矢視図である。
【図６】従来の自動車用トノカバー装置におけるトノカバーケースの端末カバーをトノカバーホルダーに嵌合使用する寸前の状態を示す要部斜視図である。
【図７】同じくトノカバーホルダーと端末カバーの嵌合状態を示す縦断面図である。
【図８】図７のＢ矢視図である。
【符号の説明】
１    車室
２    シートバック
３    ラゲージルーム
１０    トノカバー装置
１１    トノカバーケース
１１ａ  引出し端
１２    トノカバーケース
１３    端末カバー
１３ａ  係合突起
１４    トノカバーホルダー
１５    板スプリング
１６    スプリング係合片
【図１】
0003852663.tif 000002
【図２】
0003852663.tif 000003
【図３】
0003852663.tif 000004
【図４】
0003852663.tif 000005
【図５】
0003852663.tif 000006
【図６】
0003852663.tif 000007
【図７】
0003852663.tif 000008
【図８】
0003852663.tif 000009